(57)【特許請求の範囲】
【請求項１】
エレベータ運転時に選択された情報を表示するように作動するディスプレイパネルと、
前記ディスプレイパネルを点灯させるバックライト部と、
を備えたエレベータ照明装置であって、
エレベータ運転時には、前記バックライト部が主電源から電力を受電して、前記選択された情報を前記ディスプレイパネル上に見えるようにし、
前記主電源からの電力が遮断された場合には、前記バックライト部がバックアップ電源から電力を受電して、前記エレベータ照明装置周辺を照らすように前記ディスプレイパネルを点灯させ、
前記ディスプレイパネルは、停電時には、情報を表示させることなく前記バックライト部からの光を前記ディスプレイパネルの全面を通して透過させるように構成された、エレベータ照明装置。
【請求項２】
前記バックライト部が、少なくとも一つの発光ダイオードを備えることを特徴とする請求項１に記載のエレベータ照明装置。
【請求項３】
前記バックライト部が、複数の発光ダイオードを備えることを特徴とする請求項１に記載のエレベータ照明装置。
【請求項４】
前記バックライト部が、エレクトロルミネセンスパネルを備えることを特徴とする請求項１に記載のエレベータ照明装置。
【請求項５】
前記ディスプレイパネルが、液晶ディスプレイパネルを備えることを特徴とする請求項１に記載のエレベータ照明装置。
【請求項６】
乗客に所望のエレベータサービスに関する情報を入力させるように構成された乗客入力インターフェースを有するエレベータかご操作盤を備え、前記ディスプレイパネルが前記乗客入力インターフェースから独立していることを特徴とする請求項１に記載のエレベータ照明装置。
【請求項７】
前記ディスプレイパネルが、乗客に所望のエレベータサービスに関する情報を入力させるように構成されたタッチスクリーンパネルを備えることを特徴とする請求項１に記載のエレベータ照明装置。
【請求項８】
前記エレベータ照明装置がエレベータかご内に支持されるとともに、前記バックライト部が停電時に前記エレベータかご内に非常用照明を提供することを特徴とする請求項１に記載のエレベータ照明装置。
【請求項９】
前記主電源からの電力が遮断された場合には、前記ディスプレイパネルの動作とは無関係に、前記バックライト部が前記ディスプレイパネルを点灯させることを特徴とする請求項１に記載のエレベータ照明装置。
【請求項１０】
前記主電源からの電力が遮断された場合には、前記ディスプレイパネルが停止することを特徴とする請求項９に記載のエレベータ照明装置。
【請求項１１】
エレベータ運転時には、主電源を用いることにより選択された情報を提供するようにディスプレイパネルを点灯させ、
前記主電源からの電力が遮断された場合には、バックアップ電源を用いることにより前記ディスプレイパネルをエレベータかご内の非常用光源として点灯させる、ステップを備え、
前記ディスプレイパネルを前記エレベータかご内の非常用光源として点灯させるとき、前記ディスプレイパネルに情報を表示させることなく、前記ディスプレイパネルの全面を通して光を透過させることを備えたエレベータかごの非常用照明の提供方法。
【請求項１２】
エレベータ運転時には、前記主電源を用いることによりバックライト部を作動させ、
停電状態に応答して、前記バックアップ電源を用いることにより前記バックライト部を作動させることを備えた請求項１１に記載のエレベータかごの非常用照明の提供方法。
【請求項１３】
前記バックライト部が、少なくとも一つの発光ダイオードを備えることを特徴とする請求項１２に記載のエレベータかごの非常用照明の提供方法。
【請求項１４】
前記バックライト部が、複数の発光ダイオードを備えることを特徴とする請求項１２に記載のエレベータかごの非常用照明の提供方法。
【請求項１５】
前記ディスプレイパネルが、液晶ディスプレイパネルを備えることを特徴とする請求項１１に記載のエレベータかごの非常用照明の提供方法。
【請求項１６】
前記ディスプレイパネル上の選択された情報とは無関係に、前記ディスプレイパネルを非常用光源として点灯させることを備えた請求項１１に記載のエレベータかごの非常用照明の提供方法。
【請求項１７】
前記ディスプレイパネルが停止していることを特徴とする請求項１６に記載のエレベータかごの非常用照明の提供方法。
【発明の詳細な説明】
【技術分野】
【０００１】
本発明は、エレベータかごの非常用照明に関する。
【背景技術】
【０００２】
エレベータは、例えば建物の異なる階床間で乗客を輸送するかごを含む。エレベータシステムに応じて、エレベータかごは様々な室内特徴部を有する。例えば、多くのエレベータかごは、乗客が行きたいと思う階の指示を入力できるようにするかご操作盤を含む。行き先階入力式エレベータシステムにおけるその他のエレベータかごは、乗客がエレベータかごの外のキヨスクで所望の行き先階の指示を入力するため、かご操作盤を備えていない。
【先行技術文献】
【特許文献】
【０００３】
【特許文献１】米国特許第４７０８２２３号明細書
【特許文献２】米国特許第４０１３９９３号明細書
【発明の概要】
【発明が解決しようとする課題】
【０００４】
エレベータかごの様式によらず、停電やエレベータシステムの故障を含む全ての状況時に、かご内に少なくとも何らかの照明を提供する必要がある。エレベータかご内で有用な公知の様々な非常灯構成が存在する。大部分の装置は、停電時に電源投入されてエレベータかご内に少なくともある程度の低レベルの照明を提供する専用の光源を含む。こうした装置の一つが特許文献１に示される。提案されるその他の装置が特許文献２に示される。この文献では、かご操作盤の一部である蛍光灯が非常用光源として機能する。
【課題を解決するための手段】
【０００５】
一例のエレベータ照明装置が、エレベータ運転時に選択された情報を表示するように作動するディスプレイパネルと、ディスプレイパネルを点灯させるバックライト部と、を備える。エレベータ運転時には、バックライト部が主電源から電力を受電して、選択された情報をディスプレイパネル上に見えるようにする。主電源からの電力が遮断された場合には、バックライト部がバックアップ電源から電力を受電して、エレベータかご内等の装置周辺を照らすようにディスプレイパネルを点灯させる。
【０００６】
停電時にエレベータかごに非常用照明を提供する一例の方法が、エレベータ運転時には、主電源を用いることにより、選択された情報を提供するようにディスプレイパネルを点灯させることを含む。主電源からの電力が遮断された場合には、バックアップ電源を用いることにより、ディスプレイパネルがエレベータかごの非常用光源として点灯される。
【０００７】
開示の実施例の様々な特徴および利点が以下の詳細な説明から当業者にとって明らかとなるであろう。詳細な説明に添付の図面を以下のように簡単に説明する。
【図面の簡単な説明】
【０００８】
【図１】本発明の実施例に従って設計された照明装置を含むエレベータかごの選択された部分の概略図。
【図２】非常用照明機能を提供する図１の実施例を示す図。
【図３】照明装置の実施例の動作を制御するための一例の配置を概略的に示す図。
【図４】一例のバックライト部の選択された特徴部を概略的に示す図。
【図５】別の実施例の照明装置を概略的に示す図。
【図６】別の実施例のエレベータかごおよび照明装置の選択された部分を概略的に示す図。
【発明を実施するための形態】
【０００９】
図１は、ドア２２、内壁２４，２６、および床２８を含むエレベータかご２０の選択された部分を概略的に示す。この例ではエレベータ照明装置３０が内壁２４に支持されている。照明装置３０は、通常のエレベータ運転時には、かご２０の室内を明るくするようには用いられない。代わりに、独立した照明（図示せず）が通常の照明条件で用いられる。図１の例では、照明装置３０がかご操作盤３２に隣接する。かご操作盤３２の乗客入力部は乗客が所望の行き先階を指示できるようにする階選択ボタン３４を含む。
【００１０】
照明装置３０は、乗客に対しエレベータサービスに関する選択された情報３８を示すディスプレイパネル３６を含む。例えば、選択された情報３８は、エレベータかご２０が停止している現在の階や、かご２０が停止する次の階、あるいはかご２０内の乗客にとって有用なその他の情報を表示する。
【００１１】
通常のエレベータ運転条件時には、照明装置３０は選択された情報を乗客に提供するように要望どおりに作動する。
【００１２】
停電時には、照明装置３０がかご２０内の非常用光源として作動する。図２に示すように、照明装置３０が少なくともディスプレイパネル３６の周辺を照らすように点灯して、エレベータかご２０内に少なくともある程度の照明を提供する。図２からも明らかなように、ディスプレイパネル３６は、通常のエレベータ運転に関する通常の表示情報を表示させること無く点灯する。換言すれば、この例のディスプレイパネル３６はディスプレイパネルの動作もしくは起動に関係なく、そしてディスプレイパネルの情報に関係なく点灯する。
【００１３】
図３は、照明装置３０を制御するための一例の配置を概略的に示す。バックライト部４０はディスプレイパネル３６を照らす。制御部４２は主電源４６とバックアップ電源４８との切り換えに用いられるスイッチ４４を制御する。通常のエレベータ運転時では、移動式ケーブル（図示せず）を通じてかご２０に関連するコンポーネントに電力を供給可能である。一例の主電源４６は、例えば移動式ケーブルを通して供給される電力を含む。バックアップ電源４８は、一例では、主電源４６が利用できずかご２０内に非常用照明が必要な状況において有効なバッテリを備える。この例では、主電源４６が利用できない停電状態の場合には、制御部４２がスイッチ４４を作動させてバックライト部４０をバックアップ電源４８に接続させる。
【００１４】
停電状態時には、ディスプレイパネル３６は作動せず、かご２０内の乗客には情報の表示は提供されない。この例では、ディスプレイパネル３６は、エレベータかご２０の室内に非常用照明を提供するようにバックライト部４０からの照明をディスプレイパネル３６の全面を通して放射させるように構成される。
【００１５】
一例のディスプレイパネル３６は液晶ディスプレイパネルを備える。一部の例のディスプレイパネル部は、バックライト部４０からの光がディスプレイパネル３６を通して通過する部位を制御するように機能するときに作動する。このようにディスプレイパネル３６は乗客に情報の可視画像を提供する。停止時には、図示の例のディスプレイパネル３６はその全面を通して光を透過させ、それにより非常時におけるエレベータかご２０の室内の十分な照明を容易にする。
【００１６】
一例のバックライト部４０はエレクトロルミネセンスパネルを備える。別の例のバックライト部４０は少なくとも一つの発光ダイオードを備える。図４は複数の発光ダイオード５０を含む一例のバックライト部４０を概略的に示す。発光ダイオード５０を使用することにより、低電力であり、バッテリなどのバックアップ電源４８から利用可能な直流電源を用いて発光ダイオードを作動させることができるためコンバータを必要としない、という利点を提供する。
【００１７】
図１，２の例では、かご操作盤３２の独立した乗客入力部が、照明装置３０およびディスプレイパネル３６とは異なる、ボタン３４などのコンポーネントを備える。図５の例では、ディスプレイパネル３６´が乗客入力パネル３４´および選択された情報３８´を表示するディスプレイ部を含むタッチスクリーンであるため、照明装置がかご操作盤３２´の機能を提供する。図５の例では、エレベータ通常運転時にディスプレイパネル３６´上のディスプレイは、現在のエレベータ運転状況に基づいて異なる種類の乗客情報３８´および乗客入力部３４´の様々な配置を提供するように再構成することができる。停電時には、ディスプレイパネル３６´は情報あるいは乗客入力選択の表示を提供しない。代わりに、停電時には、エレベータかご２０の室内に非常用照明を提供すべく、ディスプレイパネル３６´に関連するバックライト部がディスプレイパネル３６´の全面を点灯させるように、図５の例のディスプレイパネル３６´が停止される。
【００１８】
もう一つの例のエレベータかごの配置を図６に示す。この例は、乗客がエレベータかごの外で所望の行き先階を指示する行き先階入力式のエレベータシステムに有効である。この例では、照明装置３０がかご２０の壁２４にある唯一の装置である。乗客は、一旦かご２０に乗ると行き先階を選択することが許されないため、かご操作盤を備えていない。この例では、通常のエレベータ運転条件時には、照明装置３０はディスプレイパネル３６に選択された乗客情報のディスプレイを提供する。図６に示すように、かご２０内に非常用照明を提供するようにディスプレイパネル３６が点灯する。このような状況においては、ディスプレイパネル３６に情報を表示しないようにディスプレイパネル３６は停止する。代わりに、この例のディスプレイパネル３６はバックライト部４０（例えば図３参照）から光を透過させてディスプレイパネル３６の全面を点灯させるように構成される。
【００１９】
開示の実施例はエレベータかご内の経済的かつ効率的な非常用照明源を提供する。エレベータかご内に既にあるディスプレイパネルに関連するバックライト部を用いることにより、独立した専用の非常用照明コンポーネントを設ける必要性を排除する。さらに、バックライト部の発光ダイオードなどの光源を利用することにより、白熱電球や蛍光灯などの非常用光源に比較しての節電化を提供する。発光ダイオードのようなバックライト源は、例えば白熱電球に存在する発熱に関する懸念を生じさせない。さらに、発光ダイオードは蛍光灯よりも安価である。
【００２０】
上記の記載は本質的に限定的なものではなく例示に過ぎない。本発明の真意を逸脱することなく開示の実施例に対する種々の変形や修正が当業者にとって明らかとなるであろう。本発明に付与される法的保護の範囲は付記の特許請求の範囲を検討することによってのみ決定される。
【図１】
0005540091.tif 000002
【図２】
0005540091.tif 000003
【図３】
0005540091.tif 000004
【図４】
0005540091.tif 000005
【図５】
0005540091.tif 000006
【図６】
0005540091.tif 000007